(57)【要約】【課題】画像形成条件に起因する濃度ムラを低減して画像濃度の均一化を図ること。【解決手段】画像データに基づく画像を画像形成条件に応じて用紙上に形成して出力するプリント部４０と、画像形成条件毎の各設定条件に対応付けて画像の主走査方向の濃度ムラを補正するための複数の補正値が設定された濃度ムラ補正テーブルを記憶する不揮発メモリ１２０と、補正値に基づいて前記画像データの各画素の濃度の補正を行う濃度ムラ補正部１４１と、画像形成条件の設定された条件に応じた補正値を濃度ムラ補正テーブルから読み出し、当該読み出した補正値に基づいて濃度ムラ補正部に画像データの各画素の濃度の補正を行なわせる制御部１１０と、を備える画像形成装置１。【選択図】図１
2010137446.tif 000002
【特許請求の範囲】
【請求項１】
画像データに基づく画像を画像形成条件に応じて用紙上に形成して出力する画像形成部と、
前記画像形成条件の各設定条件に対応付けて、画像の主走査方向の濃度ムラを補正するための複数の補正値を記憶する記憶部と、
前記補正値に基づいて前記画像データの各画素の濃度の補正を行う濃度補正部と、
前記画像形成条件の設定された条件に応じた補正値を前記記憶部から読み出し、当該読み出した補正値に基づいて前記濃度補正部に前記画像データの各画素の濃度の補正を行なわせる制御部と、
を備える画像形成装置。
【請求項２】
前記画像形成条件は、前記画像データに対するスクリーン処理に関する条件である、
請求項１に記載の画像形成装置。
【請求項３】
前記画像形成条件は、前記用紙の種類に関する条件である、
請求項１又は２に記載の画像形成装置。
【請求項４】
前記画像形成条件は、前記用紙の坪量に関する条件である、
請求項１から３のいずれか一項に記載の画像形成装置。
【請求項５】
前記画像形成条件は、前記画像を形成する色に関する条件である、
請求項１から４のいずれか一項に記載の画像形成装置。
【請求項６】
前記制御部は、
前記画像形成条件を示す画像形成条件情報画像と補正用画像とを含む画像データを生成し、
前記画像形成部は、
前記制御部で生成された前記画像データを用紙上に形成して前記画像形成条件毎の補正チャートを出力する、
請求項１から５のいずれか一項に記載の画像形成装置。
【請求項７】
前記補正チャートに基づいて前記画像形成条件毎の補正値を入力するための入力部を備え、
前記制御部は、
前記入力部により入力された前記画像形成条件毎の補正値を前記記憶部に記憶させる、
請求項６に記載の画像形成装置。
【請求項８】
報知情報を報知する報知手段を備え、
前記制御部は、
前記画像形成部に、前記画像形成条件に応じて前記画像データに基づく画像を用紙上に形成させる際、
当該画像形成条件に対する補正値が前記記憶部にない場合、前記補正値が未設定である旨を報知する報知情報を前記報知手段により報知させる、
請求項１から７のいずれか一項に記載の画像形成装置。
【請求項９】
前記補正値は、
主走査方向の複数の位置における補正値を含む、
請求項１から８のいずれか一項に記載の画像形成装置。
【請求項１０】
前記記憶部は、
複数の画像形成条件それぞれにおける各設定条件の組み合わせに対応して複数の補正値を記憶する請求項１から９のいずれか一項に記載の画像形成装置。
【発明の詳細な説明】
【技術分野】
【０００１】
本発明は、画像形成装置に関する。
【背景技術】
【０００２】
近年、複写機やプリンタ等の画像形成装置は、出力画像に濃度ムラが生じるため、濃度調整機能を有している。この濃度ムラは、画像形成装置の経時的な状態変化、レーザユニット等の光書込装置の取付位置、光路長、レンズの歪、ドラムの帯電状況、中間転写部の状況等の機械的要因、或は周辺環境の変化などに起因する出力濃度の変化により生じることが知られている。
【０００３】
濃度調整機能を備えた画像形成装置としては、例えば、所定色のカラーパッチと、所定色から色成分毎に一定値ごとに値をずらした色のカラーパッチとを、色相の変化が略連続するように配置したカラーパターンの画像データを、カラーパッチに対応する識別情報とともに格納し、カラーパターンの画像データに基づいてカラーパターンを出力し、入力された識別情報に応じた色補正テーブルを用いて画像データの色補正を行なう、画像形成装置がある（特許文献１参照）。
【特許文献１】特開２００５−２４６６４６号公報
【発明の開示】
【発明が解決しようとする課題】
【０００４】
しかしながら、濃度ムラは、形成する画像のスクリーン線数、画像が形成される用紙の紙種や坪量、これらに起因して変化する線速等の画像形成条件により変化することが知られている。特に、用紙の紙種や坪量は様々なものがあり、ユーザによって様々な組み合わせで用いられる。そのため、様々な画像形成条件毎に応じた補正値を予め設定しておくことは困難であり、画像形成条件による濃度ムラを補正することができないという問題が生じている。
【０００５】
本発明の課題は、上記問題に鑑みて、画像形成条件に起因する濃度ムラを低減して画像濃度の均一化を図ることである。
【課題を解決するための手段】
【０００６】
請求項１に記載の発明は、画像データに基づく画像を画像形成条件に応じて用紙上に形成して出力する画像形成部と、前記画像形成条件の各設定条件に対応付けて、画像の主走査方向の濃度ムラを補正するための複数の補正値を記憶する記憶部と、前記補正値に基づいて前記画像データの各画素の濃度の補正を行う濃度補正部と、前記画像形成条件の設定された条件に応じた補正値を前記記憶部から読み出し、当該読み出した補正値に基づいて前記濃度補正部に前記画像データの各画素の濃度の補正を行なわせる制御部と、を備える画像形成装置である。
【０００７】
請求項２に記載の発明は、請求項１に記載の画像形成装置において、前記画像形成条件は、前記画像データに対するスクリーン処理に関する条件である。
【０００８】
請求項３に記載の発明は、請求項１又は２に記載の画像形成装置において、前記画像形成条件は、前記用紙の種類に関する条件である。
【０００９】
請求項４に記載の発明は、請求項１から３のいずれか一項に記載の画像形成装置において、前記画像形成条件は、前記用紙の坪量に関する条件である。
【００１０】
請求項５に記載の発明は、請求項１から４のいずれか一項に記載の画像形成装置において、前記画像形成条件は、前記画像を形成する色に関する条件である。
【００１１】
請求項６に記載の発明は、請求項１から５のいずれか一項に記載の画像形成装置において、前記制御部は、前記画像形成条件を示す画像形成条件情報画像と補正用画像とを含む画像データを生成し、前記画像形成部は、前記制御部で生成された前記画像データを用紙上に形成して前記画像形成条件毎の補正チャートを出力する。
【００１２】
請求項７に記載の発明は、請求項６に記載の画像形成装置において、前記補正チャートに基づいて前記画像形成条件毎の補正値を入力するための入力部を備え、前記制御部は、前記入力部により入力された前記画像形成条件毎の補正値を前記記憶部に記憶させる。
【００１３】
請求項８に記載の発明は、請求項１から７のいずれか一項に記載の画像形成装置において、報知情報を報知する報知手段を備え、前記制御部は、前記画像形成部に、前記画像形成条件に応じて前記画像データに基づく画像を用紙上に形成させる際、当該画像形成条件に対する補正値が前記記憶部にない場合、前記補正値が未設定である旨を報知する報知情報を前記報知手段により報知させる。
【００１４】
請求項９に記載の発明は、請求項１から８のいずれか一項に記載の画像形成装置において、前記補正値は、主走査方向の複数の位置における補正値を含む。
【００１５】
請求項１０に記載の発明は、請求項１から９のいずれか一項に記載の画像形成装置において、前記記憶部は、複数の画像形成条件それぞれにおける各設定条件の組み合わせに対応して複数の補正値を記憶する。
【発明の効果】
【００１６】
請求項１に記載の発明によれば、画像形成条件に応じた補正値に基づいて、画像データの各画素の濃度の補正を行なうことができるため、画像形成条件に起因する濃度ムラを低減でき、画像濃度の均一化を図ることができる。
【００１７】
請求項２に記載の発明によれば、請求項１と同様の効果を得られるのは勿論のこと、スクリーン処理に適した濃度の補正を行なうことができ、スクリーン処理に起因して生じる濃度ムラを低減することができる。
【００１８】
請求項３に記載の発明によれば、請求項１又は２と同様の効果を得られるのは勿論のこと、用紙の種類に適した濃度の補正を行なうことができ、用紙の種類に起因して生じる濃度ムラを低減することができる。
【００１９】
請求項４に記載の発明によれば、請求項１から３のいずれか一項と同様の効果を得られるのは勿論のこと、用紙の坪量に適した濃度の補正を行なうことができ、用紙の坪量に起因して生じる濃度ムラを低減することができる。
【００２０】
請求項５に記載の発明によれば、請求項１から４のいずれか一項と同様の効果を得られるのは勿論のこと、画像を形成する色別に生じる濃度ムラを低減することができる。
【００２１】
請求項６に記載の発明によれば、請求項１から５のいずれか一項と同様の効果を得られるのは勿論のこと、画像形成条件を示す画像形成条件情報画像と補正用画像とを含む画像データに基づく補正チャートを画像形成条件毎に出力することができる。
【００２２】
請求項７に記載の発明によれば、請求項６と同様の効果を得られるのは勿論のこと、入力された画像形成条件毎の補正値を記憶させることができる。そのため、ユーザの意図に応じた画像形成条件別の補正値を用いて濃度ムラの補正を行なうことができる。
【００２３】
請求項８に記載の発明によれば、請求項１から７のいずれか一項と同様の効果を得られるのは勿論のこと、画像形成条件に対する補正値が記憶部にない場合には、補正値が未設定である旨を報知することができる。
【００２４】
請求項９に記載の発明によれば、請求項１から８のいずれか一項と同様の効果を得られるのは勿論のこと、主走査方向の複数の位置における補正値を用いることができる。
【００２５】
請求項１０に記載の発明によれば、請求項１から９のいずれか一項と同様の効果を得られるのは勿論のこと、複数の画像形成条件それぞれにおける各設定条件の組み合わせに対応した複数の補正値を用いることができる。
【発明を実施するための最良の形態】
【００２６】
以下、図を参照して本実施の形態を詳細に説明する。
まず、構成を説明する。
図１に、本実施の形態における画像形成装置１の機能的構成図を示す。
【００２７】
本実施の形態における画像形成装置１は、原稿から画像を読み取り、読み取った画像を用紙に画像形成したり、外部装置等から画像データを含むページデータや各画像データの画像形成条件等の設定情報を含むジョブ情報を受信し、受信したジョブ情報に基づいて画像を用紙上に画像形成したりして、カラー画像が形成された用紙を出力する装置である。なお、画像形成装置１は、画像形成された用紙に後処理を施す後処理部等を備えたデジタル複合機であってもよい。
【００２８】
図１に示すように、画像形成装置１は、本体制御部１０と、画像読取部２０と、操作表示部３０と、プリント部４０と、プリンタコントローラ５０等を備えて構成される。
【００２９】
本体制御部１０は、制御部１１０、不揮発メモリ１２０、画像メモリ１３０、画像処理部１４０等を備え、各部は制御部１１０によって制御されている。
【００３０】
制御部１１０は、ＣＰＵ（Central Processing Unit）、ＲＯＭ（Read Only Memory）、ＲＡＭ（Random Access Memory）等から構成され、ＲＯＭ又は不揮発メモリ１２０に格納されているシステムプログラム及び各種アプリケーションプログラム、各種データの中から指定されたプログラムやデータを読み出してＲＡＭに展開し、ＲＡＭに展開されたプログラムとの協働で、各種処理を実行し、画像形成装置１の各部を集中制御する。
例えば、操作表示部３０やプリンタコントローラ５０を介して接続された外部装置から入力される指示信号に従って、コピーモード、プリンタモード、スキャナモードを切り替え、複写、プリント、画像データの読取等の制御を行う。
【００３１】
制御部１１０は、ＲＯＭ又は不揮発メモリ１２０から本実施の形態に係る補正チャート出力処理プログラム、濃度ムラ補正値設定処理プログラム、画像出力処理プログラムや必要な各種データを読み出し、当該プログラム及び各種データとの協働により、補正チャート出力処理、濃度ムラ補正値設定処理、画像出力処理を制御する。
【００３２】
補正チャート出力処理では、画像形成条件毎に濃度ムラ補正値を設定するために用いる補正用画像の画像データと、当該画像形成条件を示す画像形成条件情報画像の画像データと、を含む画像データが生成され、生成された画像データが用紙上に形成されて画像形成条件毎の補正チャートが出力される。
【００３３】
本実施の形態における画像形成条件は、画像データに対するスクリーン処理、画像データに基づく画像が形成される用紙の種類（紙種）、坪量、画像を形成する色（以下、出力色とも称す。）などに関する条件であり、これらの組み合わせからなる。画像形成条件が異なると、露光画像、定着温度、線速等が異なり、用紙に形成される画像が異なることが知られている。
【００３４】
スクリーン処理は、中間調（ハーフトーン）を色再現する処理であり、ラインパターンを用いたもの、ドットパターンを用いたもの、誤差拡散処理を用いたものがある。
紙種は、用紙の材質、製造工程に対するインクの吸収性及び浸透性、インク滴の拡散性、乾燥性等によって分類される。例えば、紙種は、上質紙、普通紙、カラー用紙、塗工紙等である。坪量は、用紙の１平方メートルあたりの用紙１枚の重量［ｇ／ｍ２］である。
画像を形成する色は、Ｙ（イエロー）、Ｍ（マゼンダ）、Ｃ（シアン）、Ｋ（ブラック）とするが、これに限らず、プリント部４０が備える後述する画像形成部により形成される色である。
【００３５】
補正用画像は、主走査方向に延在し所定濃度を有する帯状画像と、当該帯状画像上において主走査方向の所定の画素数単位で設定された補正基準位置に配置され副走査方向に延在する補助線からなる。
【００３６】
画像形成条件情報画像は、画像形成条件毎に予め設定された識別情報を示す画像である。例えば、画像形成条件情報画像は、画像形成条件毎に設定された識別番号、バーコード、二次元コードである。本実施の形態では、画像形成条件情報画像として識別番号（以下、画像形成コードとも称す）を用いる。
【００３７】
図２に、補正チャートの例を示す。
図２に示すように、補正チャートＰは、用紙上に複数の帯状画像Ｐ１〜Ｐ１０と、当該帯状画像Ｐ１〜Ｐ１０上に形成された複数の補助線ｌａ〜ｌｄと、画像形成コードＣが形成されてなる。
【００３８】
帯状画像Ｐ１〜Ｐ１０は、予め設定された濃度で主走査方向Ｘに延在し、副走査方向Ｙにおいて隣接する帯状画像とは濃度が異なる画像であり、用紙搬送方向（副走査方向Ｙ）の先端から終端の方向に向かって、各帯状画像の濃度が順次濃く又は薄くなるように配列されている。
【００３９】
補助線ｌａ〜ｌｄは、帯状画像Ｐ１〜Ｐ１０上の一部に形成される。各補助線の長さは、少なくともいずれか一つの補助線の長さが他の補助線と異なる長さである。例えば、図２では、補助線ｌａ、ｌｂ、ｌｄは、用紙搬送方向の先端から副走査方向に延在し、終端まで延びず帯状画像Ｐ２の位置の長さであるのに対し、補助線ｌｃは、終端まで延びず帯状画像Ｐ３の位置の長さである。この他の補助線と異なる長さの補助線（ここでは、補助線ｌｃ）は、主走査方向Ｘにおける用紙中央の位置に最も近い補助線に設定することが好ましい。本実施の形態では、用紙中央の位置に最も近い補助線ｌｃの長さを他の補助線ｌａ、ｌｂ、ｌｄよりも長くする場合を例に挙げて説明するが、これに限らない。
【００４０】
また、補助線ｌａ〜ｌｄの濃度は、当該補助線が形成される帯状画像の濃度に応じて決定される。例えば、補助線ｌａが重畳される帯状画像Ｐ１、Ｐ２の濃度が予め設定された濃度よりも低い（薄い）場合、当該補助線ｌａの濃度は、予め設定された濃度よりも高い（濃い）濃度に設定される。補助線ｌａが重畳される帯状画像の濃度が予め設定された濃度以上（濃い）の場合、当該補助線ｌａの濃度は、予め設定された濃度以下（薄い）の濃度に設定される。
【００４１】
図３に、補助線と補正基準位置との関係図を示す。
主走査書込基準信号（ＩＮＤＥＸ信号）は、露光装置のレーザが主走査方向を走査する際に主走査方向の走査開始位置近傍に設けられたセンサを通過した際に発生するタイミング信号である。
主走査有効書込信号（ＨＶ信号；Horizontal Valid信号）は、用紙のサイズの主走査方向の幅に基づいて生成され、ＨＶ信号が立ち上がった（High）とき（ＨＳ）からＨＶ信号が立ち下がった（Low）とき（ＨＥ）までが主走査方向の１ライン分の有効領域を示す信号である。
副走査有効書込信号（ＶＶ信号；Vertical Valid信号）は、画像データの画像領域全体の有効領域信号を示す信号である。
【００４２】
補正基準位置とは、ＨＶ信号がＨＳからＨＥまでの期間に対応する長さを予め設定された画素数（例えば、１０２４画素）単位で区切った位置である。そのため、いずれかの補正基準位置が用紙中央位置と一致することは稀である。しかしながら、ＩＮＤＥＸ信号の立ち上がりから用紙中央位置の画素信号が出力されるまでの時間は一定であり、また、ＩＮＤＥＸ信号の立ち上がりからＨＶ信号のＨＳまでの時間も一定である。したがって、ＨＶ信号のＨＳから用紙中央位置の画素信号が出力されるまでの時間も一定であるため、用紙上に形成される各補助基準位置に対応する補助線の位置をＨＶ信号に基づいて算出することができる。
【００４３】
例えば、用紙中央位置がＩＮＤＥＸ信号の立ち上がりから４０００クロック、ＨＳが１００クロック、ＨＥが７９００クロックであり、用紙サイズが主走査方向の長さが２１０ｍｍのＡ４サイズである場合、６００ｄｐｉで当該用紙の書込開始位置Ａを算出し、当該書込開始位置Ａに最も近い補助基準位置の位置を算出する場合の例を説明する。
書込開始位置ＡのＩＮＤＥＸ信号の立ち上がりからのクロック数は、下記の式から算出できる。
【００４４】
書込開始位置Ａ＝４０００−（２１０×（６００／２５．４））／２
＝１５２０
【００４５】
書込開始位置Ａは、ＩＮＤＥＸ信号の立ち上がりから１５２０クロック、即ち、ＨＳから１４２０クロックでる。補助基準位置がＨＳから１０２４クロック毎に位置するため、ＨＳから１４２０以内の位置の識別番号が０及び１の補助基準位置に対応する補助線は形成されず、ＨＳから１４２０クロックに６０８（＝１０２４×２−１４２０）クロックを加算した位置を識別番号が２の補助基準位置に対応する補助線の位置として算出することができる。このようにして、各補助基準位置に対応する用紙上における補助線の位置を算出することができる。
【００４６】
なお、各補助線の副走査方向Ｙの長さや、濃度、線幅は、操作表示部３０により指定可能であってもよい。
【００４７】
濃度ムラ補正値設定処理では、画像形成条件毎に出力された補正チャートに基づいて、補正基準位置の画素の濃度の補正値の入力が操作表示部３０により受け付けられ、入力された画像形成条件毎の補正基準位置の画素の補正値が不揮発メモリ１２０の濃度ムラ補正テーブルに記憶される。
【００４８】
画像出力処理では、画像データに基づく画像を用紙に形成させる際、当該画像データの画像形成条件の設定された条件に応じた補正値が、不揮発メモリ１２０の濃度ムラ補正テーブルが参照されることにより読み出される。そして、読み出された補正値に基づいて、濃度ムラ補正部１４１により補正基準位置間毎に画素濃度の線形補間処理が行われ、当該線形補間処理の結果に基づいて形成すべき画像の各画素濃度の補正が行なわれて画像が出力される。
【００４９】
不揮発メモリ１２０は、画像形成に係る各種処理プログラム及びデータの他、本実施の形態に係る補正チャート出力処理プログラム、濃度ムラ補正値設定処理プログラム、画像出力処理プログラムや、トレイ情報、濃度ムラ補正テーブル等の各種データ、各種プログラムで処理されたデータ等を記憶する。
【００５０】
トレイ情報は、各給紙トレイに格納されている用紙の種類（紙種）、坪量、サイズ等からなり、操作表示部３０により設定される。
【００５１】
図４に、濃度ムラ補正テーブルの例を示す。
図４に示すように、濃度ムラ補正テーブルは、画像形成条件の各設定条件に対応して、画像の主走査方向の濃度ムラを補正するための複数の補正基準位置毎の補正値が設定されている。本実施の形態の補正値は、ＨＶ信号がＨＳからＨＥまでの期間に対応する長さを予め設定された画素数（例えば、１０２４画素）単位で区切った０〜８の９つ補正基準位置に対して設定されている。
この補正値は、工場出荷時や、初期値設定時等の補正値が設定されていない場合には、補正値が設定されていない旨を示す「ＦＦ」が設定される。
【００５２】
また、各画像形成条件（紙種、坪量、スクリーン処理、出力色等に関する条件）の各分類には、シリアル番号Ｎｏが割り振られており、これらのシリアル番号Ｎｏの組み合わせが各画像形成条件を示す画像形成条件情報画像（画像形成コード）となる。
【００５３】
図４では、紙種の上質紙には０、普通紙には１、カラー用紙には２、塗工紙には３等のようにシリアル番号Ｎｏが設定されている。坪量では、６４〜７４［ｇ／ｍ２］には０、７５〜８０［ｇ／ｍ２］には１、８１〜１０５［ｇ／ｍ２］には２、１０６〜１３５［ｇ／ｍ２］には３、１３６〜１６２［ｇ／ｍ２］には４等のようにシリアル番号Ｎｏが設定されている。スクリーン処理のラインパターンには０、ドットパターンには１、誤差拡散には２等のようにシリアル番号Ｎｏが設定されている。出力色のＹには０、Ｍには１、Ｃには２、Ｋには３等のようにシリアル番号Ｎｏが設定されている。
【００５４】
例えば、紙種が上質紙、坪量が６４〜７４［ｇ／ｍ２］、スクリーン処理がラインパターン、出力色がＹの画像形成条件を示す画像形成コードは、「００００」となる。また、画像形成コードが「００００」の補正値は、補正値群Ｄとなる。
【００５５】
画像メモリ１３０は、ＨＤＤ（Hard Disk Drive）、ＤＲＡＭ（Dynamic RAM）等により構成され、画像データを読み書き可能に記憶する。画像メモリ１３０は、制御部１１０からの指示により、画像読取部２０又はプリンタコントローラ５０から入力された画像データを記憶して保存したり、画像メモリ１３０に記憶されている画像データを読み出して画像処理部１４０に出力する。
【００５６】
画像処理部１４０は、画像読取部２０、プリンタコントローラ５０又は画像メモリ１３０から入力された画像データにスクリーン処理等の各種画像処理を施して制御部１１０又は画像メモリ１３０に出力する。画像処理部１４０は、例えば、画像読取部２０から入力されたアナログの画像信号をデジタルの画像データに変換したり、デジタルの画像データを圧縮して画像メモリ１３０に出力したり、圧縮画像データを伸長して出力したりする。
【００５７】
また、画像処理部１４０は、ＨＶ信号、ＶＶ信号、クロック信号（ＣＬＫ信号）を生成して制御部１１０に出力する。例えば、ＣＬＫ信号は、画像処理部１４０（を有する基板）に設けられる水晶振動子等により生成する。
【００５８】
更に、画像処理部１４０は、濃度ムラ補正部１４１を有している。
濃度ムラ補正部１４１は、制御部１１０から入力される補正基準位置毎の補正値に基づいて、補正基準位置間毎に線形補間を行い、当該補正基準位置間毎の線形補間の結果に基づいて、各色の画像形成部４１それぞれ主走査方向における各画素の濃度を補正す濃度補正部として機能する。
【００５９】
図５に、濃度ムラ補正部１４１において実行する補正処理の説明図を示す。
図５に示すグラフは、横軸に各補正基準位置を識別する番号（補助線を識別する番号）、縦軸に補正値を示す。
各補正基準位置には、操作表示部３０により入力された補正値がそれぞれ設定されており、補正基準位置間毎に線形補間を行い、各補正基準位置間の線形補間の結果、例えば、補間係数に基づいて補正基準位置間に存在する各画素に対する補正値を算出し、当該各画素の補正値に基づいて各画素の濃度を補正する。
【００６０】
例えば、２の補正基準位置と３の補正基準位置との補正基準位置間の１０２４個の各画素の補正値は、２の補正基準位置の補正値（−５）と３の補正基準位置の補正値（０）とに基づく線形補間の補間係数に基づいて算出され設定される。
【００６１】
画像読取部２０は、ＣＣＤ、画像読取制御部、ＡＤＦ（Auto Document Feeder）と称される自動原稿送り部や読取部等から構成される。画像読取制御部は、制御部１１０からの指示に基づいて自動原稿送り部、読取部等を制御して、複数の原稿の画像を読み取る。読み取られたアナログ画像信号は画像処理部１４０に出力される。ここで、画像とは、図形や写真等のイメージデータに限らず、文字や記号等のテキストデータ等も含む意である。
【００６２】
画像読取部２０により読み取られた画像データ（アナログ画像信号）は、画像処理部１４０に出力され、画像処理部１４０においてＡ／Ｄ変換され各種画像処理が施された後、プリント部４０に出力される。
【００６３】
操作表示部３０は、ＬＣＤ（Liquid Crystal Display）、ＬＣＤを覆うように設けられたタッチパネル３１、スタートボタン、操作表示制御部、その他図示しない操作キー等から構成される。
操作表示部３０は、操作表示制御部により制御部１１０から入力される表示信号に従って、各種設定条件を入力するための各種設定画面、図７〜図９、図１１、図１３〜図１６に示すような各種画面や各種処理結果等をＬＣＤに表示する。また、操作表示部３０は、操作キー群又はタッチパネル３１から入力される操作信号を制御部１１０に出力する。
【００６４】
プリント部４０は、入力されたプリントデータに基づいて、電子写真方式の画像形成処理を行うものであり、給紙部、給紙搬送部、各色の画像形成部４１、定着部、搬出部等のプリント出力に係る各部やプリント制御部を備えて構成される。
【００６５】
給紙部は、複数の給紙トレイ４２を備える。各給紙トレイ４２には、用紙の種類（紙種、坪量、サイズ）毎に予め識別された用紙が格納されており、用紙の最上部から一枚ずつ給紙搬送部に向けて搬送される。
【００６６】
給紙搬送部は、給紙トレイ４２から搬送された用紙を、複数の中間ローラ、レジストローラ等を経て画像形成部４１の転写装置へと搬送する。
【００６７】
各色の画像形成部４１は、各色の画像を形成感光体ドラム、帯電装置、露光装置、現像装置、一次転写ローラ、クリーニング装置等を備え、各色（Ｙ、Ｍ、Ｃ、Ｋ）の画像を用紙上に形成する。
【００６８】
例えば、帯電装置により帯電された感光体ドラムに、露光装置からイエロー（Ｙ）の画像データに応じた光が照射され静電潜像が形成される。そして、静電潜像が形成された感光体ドラムの表面に帯電したイエロー（Ｙ）のトナーが現像装置により付着されて静電潜像が現像される。現像装置によりトナーが付着された感光体ドラムは、一次転写ローラが配置された転写位置へ一定速度で回転されながら中間転写ベルトに転写される。中間転写ベルトにトナーが転写された後、クリーニング装置により、感光体ドラムの表面の残留電荷や残留トナー等が除去される。用紙に転写されたトナー像は、定着装置により熱定着され、イエロー（Ｙ）のトナー像が熱定着された画像が形成された用紙が排紙ローラに挟持されて搬出口から排出される。
【００６９】
同様に、各色の画像形成部４１は、感光体ドラムの周囲に配置された帯電装置、露光装置、現像装置、一次転写ローラ、クリーニング装置を備え、マゼンタ（Ｍ）、シアン（Ｃ）、ブラック（Ｋ）の画像をそれぞれ形成する。
【００７０】
定着装置は、用紙に転写されたトナー画像を熱定着する。搬出部は、定着処理された用紙を、排紙ローラ等により挟持して排紙トレイ上に排出する。
【００７１】
プリンタコントローラ５０は、画像形成装置１をネットワークプリンタとして使用する場合に、ＬＡＮ（Local Area Network）等に接続されるＰＣ（Personal Computer）等の外部装置から送信されたデータを画像形成装置１に出力する。
【００７２】
次に、本実施の形態の動作を説明する。
図６に、本実施の形態における補正チャート出力処理のフローチャートを示す。本処理は、制御部１１０と各部とが協働して実行するものである。
【００７３】
まず、制御部１１０は、操作表示部３０からの入力指示に従って、画像形成装置１の機械状態を示す機械状態画面を操作表示部３０に表示させる。
図７に、機械状態画面Ｇ１の例を示す。
図７に示すように、機械状態画面Ｇ１には、トナーの状況や各給紙トレイに格納されている用紙の状態が示されていると共に、画像形成装置１の各部の調整指示を行う調整画面を表示させる調整ボタンＢ１が設けられている。
【００７４】
制御部１１０は、調整ボタンＢ１が押下されると、操作表示部３０に調整画面を表示させる。図８に、調整画面Ｇ２の例を示す。
図８に示すように、調整画面Ｇ２には、濃度ムラ補正設定画面を表示させる濃度ムラ補正設定ボタンＢ２やその他の設定を行う画面を表示するボタンが設けられている。
【００７５】
制御部１１０は、濃度ムラ補正設定ボタンＢ２が押下されると、操作表示部３０に濃度ムラ補正設定画面を表示させる（ステップＳ１）。
【００７６】
図９に、濃度ムラ補正設定画面Ｇ３の例を示す。
図９に示すように、濃度ムラ補正設定画面Ｇ３には、用紙イメージ領域Ｅ１、画像形成コード表示領域Ｅ２、補正値表示領域Ｅ３、表示領域Ｅ４、補助基準位置ボタンＢｉ０〜Ｂｉ８、トナー色ボタンＢｙ、Ｂｍ、Ｂｃ、Ｂｋ、＋及び−を含むテンキーＢ３、セットボタンＢ４、増減ボタンＢ５、初期化ボタンＢ６、クリアボタンＢｃｙ、Ｂｃｍ、Ｂｃｃ、Ｂｃｋ、無効化ボタンＢｙ０、Ｂｍ０、Ｂｃ０、Ｂｋ０、コピーボタンＢ７、ＯＫボタンＢ８、キャンセルボタンＢ９、が設けられている。
【００７７】
用紙イメージ領域Ｅ１には、補正基準位置と補正チャートとの位置関係のイメージ図が表示される。
画像形成コード表示領域Ｅ２には、画像形成コード表示領域Ｅ２が押下された後にテンキーＢ３により入力された画像形成コード（画像形成条件情報を示すシリアル番号の組み合わせ）が表示される。
補正値表示領域Ｅ３には、各トナー色ボタン及び各補助基準位置ボタンに対応する補正値が表示される。なお、「ＦＦ」に設定されている補正値は、「−−」と表示される。図９に示す濃度ムラ補正設定画面は、全ての補正値が「ＦＦ」である場合の例を示している。
表示領域Ｅ４には、選択されたトナー色ボタン及び補助基準位置ボタンに対応する補正値として、テンキーＢ３により指示された補正値が表示される。
【００７８】
補助基準位置ボタンＢｉ０〜Ｂｉ８は、各補正基準位置の選択指示を受け付ける。
トナー色ボタンＢｙ、Ｂｍ、Ｂｃ、Ｂｋは、トナー色の選択指示を受け付ける。
セットボタンＢ４は、セットボタンＢ４が押下された場合、表示領域Ｅ４に表示された補正値を選択されたトナー色ボタン及び補助基準位置ボタンに対応する補正値として反映する。
増減ボタンＢ５は、選択されたトナー色ボタン及び補助基準位置ボタンに対応する補正値の値を増加又は減少させる。
初期化ボタンＢ６は、補正値表示領域Ｅ３に表示されている全ての補正値を初期化「ＦＦ」に設定する。
クリアボタンＢｃｙ、Ｂｃｍ、Ｂｃｃ、Ｂｃｋは、トナー色の補正値を初期値に戻す。
無効化ボタンＢｙ０、Ｂｍ０、Ｂｃ０、Ｂｋ０は、トナー色ボタンに設定された補正値を濃度ムラ補正処理の補正機能が無効である場合と同様の結果が得られる無効補正値（＝０）に変更する。
コピーボタンＢ７は、コピー設定画面を表示させる。
【００７９】
制御部１１０は、濃度ムラ補正設定画面Ｇ３が表示された状態でスタートボタンが押下されると、補正用画像の画像データを生成する（ステップＳ２）。
【００８０】
制御部１１０は、濃度ムラ補正テーブルの画像形成条件のシリアル番号を参照し、画像形成コードを生成する（ステップＳ３）。そして、画像形成コードの画像データを補正用画像の画像データに埋め込み（ステップＳ４）、画像形成コードが示す画像形成条件を画像形成装置１の各部に設定する（ステップＳ５）。
【００８１】
制御部１１０は、トレイ情報を参照し、画像形成コードが示す紙種及び坪量の用紙が格納されている給紙トレイを特定し、当該給紙トレイに当該用紙があるか否かを判別する（ステップＳ６）。
【００８２】
用紙がない場合（ステップＳ６；ＮＯ）、制御部１１０は、当該給紙トレイに用紙を補給する旨を示すメッセージ画面を操作表示部３０に表示させ（ステップＳ７）、ステップＳ６の処理に戻る。
【００８３】
用紙がある場合（ステップＳ６；ＹＥＳ）、制御部１１０は、濃度ムラ補正部１４１の設定処理を行い、ステップＳ４にて生成した画像形成コードが補正用画像に埋め込まれた画像データを画像処理部１４０により画像処理させ、プリント部４０により補正チャートを出力させる（ステップＳ８）。
【００８４】
濃度ムラ補正部１４１の設定とは、例えば、ステップＳ３において生成した画像形成コードが示すシリアル番号の組み合わせに対応する画像形成条件の各補正基準位置の補正値に基づいて、補正基準位置間で線形補間を行い、当該線形補間の結果に応じて各画素の濃度値を算出することである。
【００８５】
制御部１１０は、全ての画像形成条件の補正チャートの出力が完了したか否かを判別する（ステップＳ９）。
【００８６】
全ての画像形成条件の補正チャートの出力が未完了である場合（ステップＳ９；ＮＯ）、制御部１１０は、ステップＳ３の処理に戻る。全ての画像形成条件の補正チャートの出力が完了した場合（ステップＳ９；ＹＥＳ）、制御部１１０は、補正チャート出力処理を終了する。
【００８７】
図１０に、本実施の形態における濃度ムラ補正値設定処理のフローチャートを示す。本処理は、制御部１１０と各部とが協働して実行するものである。
【００８８】
制御部１１０は、操作表示部３０からの入力指示に従って、濃度ムラ補正設定画面Ｇ３を操作表示部３０に表示させる（ステップＳ１１）。
【００８９】
図１１に、濃度ムラ補正設定画面Ｇ３の例を示す。
図１１に示す濃度ムラ補正設定画面Ｇ３は、図９に示す濃度ムラ補正設定画面Ｇ３と同一の構成であるため、同一の符号を付し、説明は省略する。
なお、図１１に示す濃度ムラ補正設定画面Ｇ３の補正値表示領域Ｅ３には、濃度ムラ補正テーブルから指定された画像形成条件の補正値が読み出された値が表示されている。
【００９０】
制御部１１０は、画像形成コード表示領域Ｅ２が押下され、テンキーＢ３により画像形成コードが入力されると、当該入力された画像形成コードを取得する（ステップＳ１２）。
【００９１】
そして制御部１１０は、濃度ムラ補正テーブルを参照し、取得した画像形成コードが示すシリアル番号の組み合わせに対応する画像形成条件を検出し、当該検出した画像形成条件に対応する補正値を読み出す。制御部１１０は、読み出した補正値を補正値表示領域Ｅ３に表示させる。
【００９２】
制御部１１０は、濃度ムラ補正設定画面Ｇ３により指定した画像形成条件の補正値の入力を受け付け、当該補正値の入力に応じて補正値の設定を行ない（ステップＳ１３）、濃度ムラ補正設定画面Ｇ３で設定された補正値（以下、設定補正値）を、制御部１１０内のＲＡＭに保存する。
【００９３】
ステップＳ１３では、例えば、ユーザによりトナー色ボタンＢｙ、Ｂｍ、Ｂｃ、Ｂｋのいずれかと、補助基準位置ボタンＢｉ０〜Ｂｉ８のいずれかと、がそれぞれ押下されることにより、当該押下された２つのボタンに合致するトナー色及び補助基準位置の補正値を、テンキーＢ３又は増減ボタンＢ５により補正値が調整された後にセットボタンＢ４が押下されたときに表示領域Ｅ４に表示された値に制御部１１０は設定する。
また、初期化ボタンＢ６が押下された場合には、制御部１１０は、補正値表示領域Ｅ３に表示されている全ての補正値を「ＦＦ」に設定し初期化する。
クリアボタンＢｃｙ、Ｂｃｍ、Ｂｃｃ、Ｂｃｋが押下された場合には、制御部１１０は、当該押下されたクリアボタンに対応するトナー色の補正値を初期値に戻す。
無効化ボタンＢｙ０、Ｂｍ０、Ｂｃ０、Ｂｋ０が押下された場合には、制御部１１０は、当該押下された無効化ボタンに対応するトナー色の補正値を無効補正値（＝０）に設定する。
【００９４】
従って、操作表示部３０に表示される濃度ムラ補正設定画面Ｇ３は、補正チャートに基づいて画像形成条件毎の画素の濃度を補正する補正値を入力するための入力部として機能する。
【００９５】
制御部１１０は、濃度ムラ補正モードを終了するか否かを判別する（ステップＳ１４）。ステップＳ１４の濃度ムラ補正モードを終了する場合は、キャンセルボタンＢ９が押下された場合とＯＫボタンＢ８が押下された場合との２通りある。ＯＫボタンＢ８が押下された場合（ステップＳ１４；ＯＫ）、制御部１１０は、ＲＡＭに保存されている補正値を、読み出した画像形成条件の補正値として不揮発メモリ１２０の濃度ムラ補正テーブルに上書きして記憶させ（ステップＳ１５）、濃度ムラ補正値設定処理を終了する。キャンセルボタンＢ９が押下された場合（ステップＳ１４；キャンセル）、制御部１１０は、ステップＳ１５を介さずに濃度ムラ補正値設定処理を終了する。
【００９６】
濃度ムラ補正モードを終了しない場合、例えば、濃度ムラ補正設定画面Ｇ３に設けられたＯＫボタンＢ８及びキャンセルボタンＢ９を除く他のボタンが押下された場合（ステップＳ１４；ＮＯ）、制御部１１０は、押下されたボタンに応じた処理を実行し、ステップＳ１３に戻る。
【００９７】
図１２に、本実施の形態における画像出力処理のフローチャートを示す。本処理は、制御部１１０と各部とが協働して実行するものである。
【００９８】
制御部１１０は、操作表示部３０からの入力指示に従って、コピー設定画面Ｇ０を操作表示部３０に表示させる（ステップＳ２１）。
【００９９】
図１３に、コピー設定画面Ｇ０の例を示す。
図１３に示すように、コピー設定画面Ｇ０は、原稿設定領域Ｅ１０、カラー設定領域Ｅ１１、倍率設定領域Ｅ１２、応用設定領域Ｅ１３、画質調整領域Ｅ１４、出力設定領域Ｅ１５、片面／両面設定領域Ｅ１６、用紙設定領域Ｅ１７が設けられている。コピー設定画面Ｇ０は、画像形成される画像の各種出力モードの設定や画像が形成される用紙の各種設定等を行なう画面である。なお、出力モードとは、出力色（ブラック、カラー等）、倍率、片面又は両面等の各出力形態の動作である。
【０１００】
画質調整領域Ｅ１４には、画質調整画面を表示させる画質調整ボタンＢ１０が設けられている。また、用紙設定領域Ｅ１７には、各給紙トレイに格納される用紙の設定や、給紙する給紙トレイの選択指示を受け付ける給紙トレイボタンＢ１１ａ〜Ｂ１１ｄが設けられている。
【０１０１】
制御部１１０は、コピー設定画面Ｇ０において、画像形成される画像の各種出力モードの設定や、画像が形成される用紙の設定を受け付ける（ステップＳ２２）。ステップ２２における用紙の設定は、ユーザにより用紙設定領域Ｅ１７のいずれかの給紙トレイボタンＢ１１ａ〜Ｂ１１ｂのいずれか一つが押下されることにより、当該押下された給紙トレイボタンに対応する給紙トレイに格納されている用紙を設定するものである。
【０１０２】
制御部１１０は、トレイ情報を参照し、ステップＳ２２において設定した用紙が格納されている給紙トレイに格納されている用紙の紙種の情報を読み出し（ステップＳ２３）、また、坪量の情報を読み出す（ステップＳ２４）。また、制御部１１０は、スクリーン処理の設定を受け付ける（ステップＳ２５）。
【０１０３】
ステップＳ２５におけるスクリーン処理の設定では、まず、ユーザにより画質調整領域Ｅ１４の画質調整ボタンＢ１０が押下されると、制御部１１０は画質調整画面を表示させる。
【０１０４】
図１４に、画質調整画面Ｇ４の例を示す。
図１４に示すように、画質調整画面Ｇ４には、スクリーン選択ボタンＢ２１等の画質の調整指示を受け付ける画面へ遷移するための各種ボタンが設けられている。
【０１０５】
そして、画質調整画面Ｇ４において、ユーザによりスクリーン選択ボタンＢ２１が押下されると、制御部１１０は、スクリーン選択画面を表示させる。
図１５に、スクリーン選択画面Ｇ５の例を示す。
図１５に示すように、スクリーン選択画面Ｇ５には、ラインボタンＢ３１、第２ラインボタンＢ３２、ドットボタンＢ３３、第２ドットボタンＢ３４、圧縮率優先ボタンＢ３５、自動ボタンＢ３６、ＯＫボタンＢ３７及びキャンセルボタンＢ３８等が設けられている。
【０１０６】
ラインボタンＢ３１、第２ラインボタンＢ３２、ドットボタンＢ３３、第２ドットボタンＢ３４、圧縮優先ボタンＢ３５、自動ボタンＢ３６は、各種スクリーン処理を選択を受け付ける。ラインボタンＢ３１は、ラインパターンを用いたスクリーン処理の設定を受け付ける。第２ラインボタンＢ３２は、ラインボタンＢ３１が押下されたときのスクリーン処理で用いられるラインパターンとは異なるラインパターンを用いたスクリーン処理の設定を受け付ける。ドットボタンＢ３３は、ドットパターンを用いたスクリーン処理の設定を受け付ける。第２ドットボタンＢ３４は、ドットボタンＢ３３が押下されたときのスクリーン処理で用いられるドットパターンとは異なるドットパターンを用いたスクリーン処理の設定を受け付ける。圧縮率優先ボタンＢ３５は、誤差拡散を用いたスクリーン処理の設定を受け付ける。自動ボタンＢ３６は、予め設定されたスクリーン処理（例えば、ラインパターンを用いたスクリーン処理）とする設定を受け付ける。
【０１０７】
スクリーン選択画面Ｇ５において、ユーザによりた各種スクリーン処理を選択するボタン（Ｂ３１〜Ｂ３６）のいずれか一つのボタンが押下されると、制御部１１０は、当該押下されたボタンに対応するスクリーン処理の設定を受け付ける。
【０１０８】
制御部１１０は、濃度ムラ補正テーブルを参照し、ステップＳ２３で読み出した紙種、ステップＳ２４で読み出した坪量、ステップＳ２５で設定したスクリーン処理に対応する各出力色の補正値を読み出す（ステップＳ２６）。
【０１０９】
制御部１１０は、操作表示部３０のハードキーのスタートボタンの押下、即ち、画像の出力指示を受け付けると（ステップＳ２７）、ステップＳ２６で読み出した補正値が設定済みであるか否かを判別する（ステップＳ２８）。ステップＳ２８において補正値が設定済みか否かの判別では、読み出した補正値が全て「ＦＦ」である場合には未設定、全て「ＦＦ」でない場合には設定済みと判別される。
【０１１０】
補正値が未設定である場合（ステップＳ２８；ＮＯ）、制御部１１０は、操作表示部３０に警告画面を表示させる（ステップＳ２９）。
【０１１１】
図１６に、警告画面Ｇ６の例を示す。
図１６に示すように、警告画面Ｇ６には、メッセージ領域Ｍ、ＹＥＳボタンＢ４１、ＮＯボタンＢ４２が設けられている。メッセージ領域Ｍには、「濃度ムラの補正値が設定されていません。画像出力しますか？」等の補正値が未設定である旨と、画像出力するか否かを問うメッセージが表示される。
【０１１２】
警告画面Ｇ６は、画像形成条件に対応する補正値が不揮発メモリ１２０の濃度ムラ補正テーブルにない、即ち、「ＦＦ」に設定されている場合、補正値が未設定である旨を報知する報知情報（メッセージ）をユーザに報知する報知手段として機能する。
【０１１３】
制御部１１０は、画像出力する指示を受け付けたか否かを判別する（ステップＳ３０）。ステップＳ３０の判別は、警告画面Ｇ６において、ユーザによりＹＥＳボタンＢ４１が押下されたか否かが判別されるものである。
【０１１４】
画像出力する指示を受け付けた場合、即ち、ＹＥＳボタンＢ４１が押下された場合（ステップＳ３０；ＹＥＳ）、制御部１１０は、読み出した補正値を全て０に設定してステップＳ３１に進む。
【０１１５】
画像出力する指示を受け付けない場合、即ち、ＮＯボタンＢ４２が押下された場合（ステップＳ３０；ＮＯ）、制御部１１０は、画像出力処理を終了する。
【０１１６】
ステップＳ２６で読み出した補正値が設定済みである場合（ステップＳ２８；ＹＥＳ）、制御部１１０は、読み出した補正値に対応する画像形成条件、即ち、ステップＳ２３で読み出した紙種、ステップＳ２４で読み出した坪量、ステップＳ２５で受け付けたスクリーン処理を、画像形成装置１の各部に設定する（ステップＳ３１）。また、制御部１１０は、ステップＳ２６で読み出した補正値を濃度ムラ補正部１４１に出力して濃度ムラ補正部１４１の設定を行なう。
【０１１７】
制御部１１０は、画像メモリ１３０内の指定した画像データを画像処理部１４０により画像処理させ、プリント部４０に画像処理済みの画像データを出力する。そして、プリント部４０により、制御部１１０から入力された画像データに基づいて設定された用紙に画像が形成され出力され（ステップＳ３２）、画像出力処理が終了される。
【０１１８】
以上のように、本実施の形態によれば、画像形成条件に応じた補正値に基づいて、画像データの各画素の濃度の補正を行なうことができるため、画像形成条件に起因する濃度ムラを低減でき、画像濃度の均一化を図ることができる。
【０１１９】
特に、スクリーン処理に適した濃度の補正を行なうことができ、スクリーン処理に起因して生じる濃度ムラを低減することができる。また、紙種や坪量に適した濃度の補正を行なうことができ、紙種や坪量に起因して生じる濃度ムラを低減することができる。更に、画像を形成する色別に生じる濃度ムラを低減することができる。
【０１２０】
更に、画像形成条件を示す画像形成コードと補正用画像とを含む画像データに基づく補正チャートを画像形成条件毎に出力することができるため、どの補正チャートがどの画像形成条件の補正用画像であるかをユーザに対して識別させることができる。
【０１２１】
また、入力された画像形成条件毎の補正値を濃度ムラ補正テーブルに記憶させることができる。そのため、ユーザの意図に応じた画像形成条件別の補正値を用いて濃度ムラの補正を行なうことができる。
【０１２２】
また、画像形成条件に対する補正値が「ＦＦ」の場合には、補正値が未設定である旨を報知する警告画面を表示することができる。そのため、ユーザは、濃度ムラを行なうための補正値が未設定であることを知ることができ、画像を出力する前に、補正値が未設定である画像形成条件に対する補正値の設定を行なう機会を得ることができる。従って、濃度ムラの補正が行なわれない無駄な画像の出力を防止し得ることができる。
【０１２３】
以上の説明では、本発明に係るプログラムのコンピュータ読み取り可能な媒体として不揮発メモリ１２０を使用した例を開示したが、この例に限定されない。その他のコンピュータ読み取り可能な媒体として、フラッシュメモリ等の不揮発性メモリ、ＣＤ-ＲＯＭ等の可搬型記録媒体を適用することが可能である。また、本発明に係るプログラムのデータを通信回線を介して提供する媒体として、キャリアウエーブ(搬送波)も本発明に適用される。
【０１２４】
また、本発明は、上記実施の形態の内容に限定されるものではなく、本発明の主旨を逸脱しない範囲で適宜変更可能である。
【図面の簡単な説明】
【０１２５】
【図１】画像形成装置の機能的構成図である。
【図２】補正チャートの例を示す図である。
【図３】補助線と補正基準位置との関係図である。
【図４】濃度ムラ補正テーブルの例を示す図である。
【図５】濃度ムラ補正部において実行する補正処理の説明図である。
【図６】補正チャート出力処理のフローチャートである。
【図７】機械状態画面の例を示す図である。
【図８】調整画面の例を示す図である。
【図９】濃度ムラ補正設定画面の例を示す図である。
【図１０】濃度ムラ補正値設定処理のフローチャートである。
【図１１】濃度ムラ補正設定画面の例を示す図である。
【図１２】画像出力処理のフローチャートである。
【図１３】コピー設定画面の例を示す図である。
【図１４】画質調整画面の例を示す図である。
【図１５】スクリーン選択画面の例を示す図である。
【図１６】警告画面の例を示す図である。
【符号の説明】
【０１２６】
１  画像形成装置
１０  本体制御部
２０  画像読取部
３０  操作表示部
３１  タッチパネル
４０  プリント部
４１  画像形成部
４２  給紙トレイ
５０  プリンタコントローラ
１１０  制御部
１２０  不揮発メモリ
１３０  画像メモリ
１４０  画像処理部
１４１  濃度ムラ補正部
Ｂ１  調整ボタン
Ｂ２  濃度ムラ補正設定ボタン
Ｂ３  テンキー
Ｂ４  セットボタン
Ｂ５  増減ボタン
Ｂ６  初期化ボタン
Ｂ７  コピーボタン
Ｂ８  ＯＫボタン
Ｂ９  キャンセルボタン
Ｂ１０  画質調整ボタン
Ｂ１１ａ〜Ｂ１１ｄ  給紙トレイボタン
Ｂ２１  スクリーン選択ボタン
Ｂ３１  ラインボタン
Ｂ３２  第２ラインボタン
Ｂ３３  ドットボタン
Ｂ３４  第２ドットボタン
Ｂ３５  圧縮率優先ボタン
Ｂ３６  自動ボタン
Ｂ３７  ＯＫボタン
Ｂ３８  キャンセルボタン
Ｂ４１  ＹＥＳボタン
Ｂ４２  ＮＯボタン
Ｂｉ０〜Ｂｉ８  補助基準位置ボタン
Ｂｙ、Ｂｍ、Ｂｃ、Ｂｋ  トナー色ボタン
Ｂｙ０、Ｂｍ０、Ｂｃ０、Ｂｋ０  無効化ボタン
Ｂｃｙ、Ｂｃｍ、Ｂｃｃ、Ｂｃｋ  クリアボタン
Ｅ１  用紙イメージ領域
Ｅ２  画像形成コード表示領域
Ｅ３  補正値表示領域
Ｅ４  表示領域
Ｅ１０  原稿設定領域
Ｅ１１  カラー設定領域
Ｅ１２  倍率設定領域
Ｅ１３  応用設定領域
Ｅ１４  画質調整領域
Ｅ１５  出力設定領域
Ｅ１６  片面／両面設定領域
Ｅ１７  用紙設定領域
Ｇ０  コピー設定画面
Ｇ１  機械状態画面
Ｇ２  調整画面
Ｇ３  濃度ムラ補正設定画面
Ｇ４  画質調整画面
Ｇ５  スクリーン選択画面
Ｇ６  警告画面
ｌａ〜ｌｄ  補助線
Ｍ  メッセージ領域
Ｐ  補正チャート
Ｐ１〜Ｐ１０  帯状画像
Ｘ  主走査方向
Ｙ  副走査方向
【図１】
2010137446.tif 000003
【図２】
2010137446.tif 000004
【図３】
2010137446.tif 000005
【図４】
2010137446.tif 000006
【図５】
2010137446.tif 000007
【図６】
2010137446.tif 000008
【図７】
2010137446.tif 000009
【図８】
2010137446.tif 000010
【図９】
2010137446.tif 000011
【図１０】
2010137446.tif 000012
【図１１】
2010137446.tif 000013
【図１２】
2010137446.tif 000014
【図１３】
2010137446.tif 000015
【図１４】
2010137446.tif 000016
【図１５】
2010137446.tif 000017
【図１６】
2010137446.tif 000018